【手続補正書】
【提出日】平成29年1月31日(2017.1.31)
【手続補正１】
【補正対象書類名】明細書
【補正対象項目名】００４４
【補正方法】変更
【補正の内容】
【００４４】
出力部２４Ａは、エンファシス制御部２３から供給された制御信号に基づいて、信号ＳＩＧＡに対してプリエンファシスを行うものである。出力部２４Ｂは、エンファシス制御部２３から供給された制御信号に基づいて、信号ＳＩＧＢに対してプリエンファシスを行うものである。出力部２４Ｃは、エンファシス制御部２３から供給された制御信号に基づいて、信号ＳＩＧＣに対してプリエンファシスを行うものである。出力部２４Ａ，２４Ｂ，２４Ｃの構成は、出力部２２Ａ，２２Ｂ，２２Ｃと同様である。
【手続補正２】
【補正対象書類名】明細書
【補正対象項目名】００６５
【補正方法】変更
【補正の内容】
【００６５】
シンボルが“＋ｘ”から“＋ｙ”へ遷移する場合には、信号生成部１１は、図８に示したように、信号ＥＡ，ＥＢ，ＥＣを“０”，“１”，“１”にする。これにより、送信部２０は、図９Ｂに示したように、信号ＳＩＧＢに対してプリエンファシスを行い、低レベル電圧ＶＬから、高レベル電圧ＶＨよりも高い電圧に遷移させるとともに、信号ＳＩＧＣに対してプリエンファシスを行い、中レベル電圧ＶＭから、低レベル電圧ＶＬよりも低い電圧に遷移させる。このとき、送信部２０は、信号ＳＩＧＡに対してはプリエンファシスを行わず、高レベル電圧ＶＨから中レベル電圧ＶＭに遷移させる。すなわち、信号ＳＩＧＡは電圧状態ＳＨから電圧状態ＳＭに遷移するが、送信部２０は、この信号ＳＩＧＡに対してはプリエンファシスを行わない。これにより、図１０Ｂに示したように、差分ＡＢは、プリエンファシスを行わない場合に比べて、正から負へより早く遷移し、差分ＢＣは、プリエンファシスを行わない場合に比べて、負から正へより早く遷移する。また、差分ＣＡは負の状態を維持する。
【手続補正３】
【補正対象書類名】明細書
【補正対象項目名】００６６
【補正方法】変更
【補正の内容】
【００６６】
シンボルが“＋ｘ”から“−ｙ”へ遷移する場合には、信号生成部１１は、図８に示したように、信号ＥＡ，ＥＢ，ＥＣを“０”，“１”，“１”にする。これにより、送信部２０は、図９Ｃに示したように、信号ＳＩＧＢに対してプリエンファシスを行い、低レベル電圧ＶＬから、低レベル電圧ＶＬよりも低い電圧に遷移させるとともに、信号ＳＩＧＣに対してプリエンファシスを行い、中レベル電圧ＶＭから、高レベル電圧ＶＨよりも高い電圧に遷移させる。すなわち、信号ＳＩＧＢは電圧状態ＳＬを維持するが、送信部２０は、この信号ＳＩＧＢに対してプリエンファシスを行う。このとき、送信部２０は、信号ＳＩＧＡに対しては、プリエンファシスを行わず、高レベル電圧ＶＨから中レベル電圧ＶＭに遷移させる。すなわち、信号ＳＩＧＡは電圧状態ＳＨから電圧状態ＳＭに遷移するが、送信部２０は、この信号ＳＩＧＡに対してはプリエンファシスを行わない。これにより、図１０Ｃに示したように、差分ＣＡは、プリエンファシスを行わない場合に比べて、負圧から正圧へより早く遷移する。また、差分ＡＢは正の状態を維持し、差分ＢＣは負の状態を維持する。
【手続補正４】
【補正対象書類名】明細書
【補正対象項目名】００７１
【補正方法】変更
【補正の内容】
【００７１】
シンボルが“−ｘ”から“＋ｙ”へ遷移する場合には、信号生成部１１は、図８に示したように、信号ＥＡ，ＥＢ，ＥＣを“０”，“１”，“１”にする。これにより、送信部２０は、図１１Ｂに示したように、信号ＳＩＧＢに対してプリエンファシスを行い、高レベル電圧ＶＨから、高レベル電圧ＶＨよりも高い電圧に遷移させるとともに、信号ＳＩＧＣに対してプリエンファシスを行い、中レベル電圧ＶＭから、低レベル電圧ＶＬよりも低い電圧に遷移させる。すなわち、信号ＳＩＧＢは電圧状態ＳＨを維持するが、送信部２０は、この信号ＳＩＧＢに対してプリエンファシスを行う。このとき、送信部２０は、信号ＳＩＧＡに対してはプリエンファシスを行わず、低レベル電圧ＶＬから中レベル電圧ＶＭに遷移させる。すなわち、信号ＳＩＧＡは電圧状態ＳＬから電圧状態ＳＭに遷移するが、送信部２０は、この信号ＳＩＧＡに対してはプリエンファシスを行わない。これにより、図１２Ｂに示したように、差分ＣＡは、プリエンファシスを行わない場合に比べて、正から負へより早く遷移する。また、差分ＢＣは正の状態を維持し、差分ＡＢは負の状態を維持する。
【手続補正５】
【補正対象書類名】明細書
【補正対象項目名】００７５
【補正方法】変更
【補正の内容】
【００７５】
このように、送信装置１０は、信号ＳＩＧＡ〜ＳＩＧＣのうち、電圧状態ＳＬ，ＳＭから電圧状態ＳＨに遷移する信号に対してプリエンファシスを行うとともに、電圧状態ＳＨ，ＳＭから電圧状態ＳＬに遷移した信号に対してプリエンファシスを行う。また、送信装置１０は、信号ＳＩＧＡ〜ＳＩＧＣのうち、電圧状態ＳＬ，ＳＨを維持する信号に対してもプリエンファシスを行う。一方、送信装置１０は、信号ＳＩＧＡ〜ＳＩＧＣのうち、電圧状態ＳＬ，ＳＨから電圧状態ＳＭに遷移する信号に対してはプリエンファシスを行わず、また、電圧状態ＳＭを維持する信号に対してもプリエンファシスを行わない。
【手続補正６】
【補正対象書類名】明細書
【補正対象項目名】０１０３
【補正方法】変更
【補正の内容】
【０１０３】
論理回路１２０は、論理積回路１２１〜１２５を有している。論理積回路１２１の第１の入力端子には比較部１０１の出力信号が供給され、第２の入力端子には比較部１１２の出力信号が供給され、第３の入力端子には、ＬＵＴ１９Ｂに含まれる、シンボルＣＳ＝“＋ｘ”およびシンボルＮＳ＝“−ｘ”に対応する信号ＥＥの値（この例では“０”）が供給される。すなわち、比較部１０１は、現在のシンボルＣＳがシンボル“＋ｘ”である場合に“１”を出力するものであり、比較部１１２は、次のシンボルＮＳがシンボル“−ｘ”である場合に“１”を出力するものであるため、第３の入力端子には、シンボルＣＳ＝“＋ｘ”およびシンボルＮＳ＝“−ｘ”に対応する信号ＥＥの値が供給される。同様に、論理積回路１２２の第１の入力端子には比較部１０１の出力信号が供給され、第２の入力端子には比較部１１３の出力信号が供給され、第３の入力端子には、ＬＵＴ１９Ｂに含まれる、シンボルＣＳ＝“＋ｘ”およびシンボルＮＳ＝“＋ｙ”に対応する信号ＥＥの値（この例では“１”）が供給される。論理積回路１２３の第１の入力端子には比較部１０１の出力信号が供給され、第２の入力端子には比較部１１４の出力信号が供給され、第３の入力端子には、ＬＵＴ１９Ｂに含まれる、シンボルＣＳ＝“＋ｘ”およびシンボルＮＳ＝“−ｙ”に対応する信号ＥＥの値（この例では“０”）が供給される。論理積回路１２４の第１の入力端子には比較部１０１の出力信号が供給され、第２の入力端子には比較部１１５の出力信号が供給され、第３の入力端子には、ＬＵＴ１９Ｂに含まれる、シンボルＣＳ＝“＋ｘ”およびシンボルＮＳ＝“＋ｚ”に対応する信号ＥＥの値（この例では“１”）が供給される。論理積回路１２５の第１の入力端子には比較部１０１の出力信号が供給され、第２の入力端子には比較部１１６の出力信号が供給され、第３の入力端子には、ＬＵＴ１９Ｂに含まれる、シンボルＣＳ＝“＋ｘ”およびシンボルＮＳ＝“−ｚ”に対応する信号ＥＥの値（この例では“０”）が供給される。
【手続補正７】
【補正対象書類名】明細書
【補正対象項目名】０１３６
【補正方法】変更
【補正の内容】
【０１３６】
レジスタ６４は、ＬＵＴ５９を記憶するものである。このＬＵＴ５９は、例えば、受信装置６０の電源投入時に、図示しないアプリケーションプロセッサから、このレジスタ６４に書き込まれるようになっている。
【手続補正８】
【補正対象書類名】図面
【補正対象項目名】図４
【補正方法】変更
【補正の内容】
【図４】
2015228554.tif 000001
【手続補正９】
【補正対象書類名】図面
【補正対象項目名】図９Ａ
【補正方法】変更
【補正の内容】
【図９Ａ】
2015228554.tif 000002